(57)【要約】【課題】ヘッド内面に金属製の錘を溶接ビードを用いた溶接により固定するための台座を有するゴルフクラブヘッドであって、ヘッド内面に錘を安定に固定することができ、かつ、ヘッド重量をそれほど大きくすることなくヘッド内面に複数の台座を設けることができるとともに、溶接ビードの重量のバラツキを抑えてヘッド重量のバラツキを少なくすることができ、しかも細やかな重量設計ができるるゴルフクラブヘッドを提供する。【解決手段】両端に突部１６を有する少なくとも２本のリブ１４からなる台座１０がヘッド本体１２の内面に形成され、上記台座のリブ上に金属製の錘１８が配置されているとともに、上記両突部間に錘の表面を通る溶接ビード２０が形成されたゴルフクラブヘッドとする。【選択図】図５
2007151759.tif 000002
【特許請求の範囲】
【請求項１】
両端に突部を有する少なくとも２本のリブからなる台座がヘッド内面に形成され、かつ、前記台座の少なくとも２本のリブ上に金属製の錘が配置されているとともに、前記リブ両端の突部間に前記錘の表面を通る溶接ビードが形成され、前記溶接ビードにより前記錘がヘッド内面に固定されていることを特徴とするゴルフクラブヘッド。
【請求項２】
前記リブの上端および前記錘の裏面は平らであることを特徴とする請求項１に記載のゴルフクラブヘッド。
【請求項３】
前記リブ両端の突部は、前記錘の横方向の位置決め機能を有することを特徴とする請求項１または２に記載のゴルフクラブヘッド。
【請求項４】
前記少なくとも２本のリブは、平面視直線状の互いに平行な２本のリブであることを特徴とする請求項１〜３のいずれか１項に記載のゴルフクラブヘッド。
【請求項５】
ヘッド内面に複数の前記台座が形成されていることを特徴とする請求項１〜４のいずれか１項に記載のゴルフクラブヘッド。
【発明の詳細な説明】
【技術分野】
【０００１】
本発明は、ヘッド内面に金属製の錘を溶接により固定した中空ゴルフクラブヘッドに関する。
【背景技術】
【０００２】
従来、ゴルフクラブヘッドの重心位置の調整や重量調整などのために、ソール部の内面に比重の大きい金属からなる錘を溶接により固定した中空ゴルフクラブヘッドが提案されている。このようなゴルフクラブヘッドとして、例えば特許文献１〜３に記載されたものがある。
【０００３】
特許文献１のゴルフクラブヘッドは、内部が中空とされた金属製のゴルフクラブヘッドにおいて、ヘッド本体の素材よりも比重が大きい金属部材が、ヘッド本体のソール面を形成する底壁部の中空部側に溶接により固定されており、該溶接による溶着金属が前記底壁部から盛り上がって金属部材の上部に覆い被さっているものである。
【０００４】
特許文献２のゴルフクラブヘッドは、金属製外殻構造のヘッド部と、前記ヘッド部におけるソール部表面に間隔をあけて立設された複数の柱状部と、前記ソール部における前記柱状部近傍に配置され、溶接部を介して前記柱状部と接合される重り部材とを備えたものである。
【０００５】
特許文献３のゴルフクラブヘッドは、ヘッド本体の内面に、該ヘッド本体よりも比重の大きいウエイト部材が固定されたゴルフクラブヘッドにおいて、前記ウエイト部材が、ヘッド本体の内面に溶接にて固定されているとともに、該溶接による溶着金属が、ヘッド本体の内面からウエイト部材の上面に跨って設けられているものである。
【０００６】
【特許文献１】特開平９−２６６９６４号公報
【特許文献２】特開２００５−２１１４３８号公報
【特許文献３】登録実用新案第３０５２９９７号公報
【発明の開示】
【発明が解決しようとする課題】
【０００７】
近年、ゴルフクラブヘッドの大型化、軽量化が進行し、それに伴ってゴルフクラブヘッドを形成する金属の薄肉化が図られている。そして、上記ゴルフクラブヘッドを形成する金属の薄肉化によって、ソール部の内面は曲面で構成されるようになっている。
【０００８】
そのため、図１３に示すように、曲面をなしたソール部５０の内面に前述した従来技術により平板状の金属製の錘５２を溶接により固定すると、ソール部５０の内面と錘５２との間に隙間５４が生じ、錘５２のソール部５０の内面に対する溶接が不安定になる。つまり、錘の位置がずれたり、溶接時に錘が不安定で取り付けにくい。なお、図中５６は溶接ビードを示す。
【０００９】
これに対し、上記隙間５４の発生を防止するために、図１４に示すように、ソール部５０の内面に平面状の台座５８を形成することが考えられる。しかし、このような平面状の台座５８は、台座自体の重量が大きいため、その結果ゴルフクラブの重量が大きくなるという問題が生じる。また、ヘッド内面に複数の平面状の台座を形成すると、ヘッド本体の重量が非常に大きくなるため、ヘッド内面に複数の平面状の台座を形成することは難しかった。つまり、平面状の台座を複数設けると、台座部に重量がとられ、複数の錘による細かな重量設計がしにくくなる。
【００１０】
さらに、前述した従来技術では、溶接ビードの形成箇所が予め規定されていないため、溶接ビードの重量のバラツキが生じ、その結果ヘッド重量のバラツキが生じることがあった。
【００１１】
本発明は、前述した事情に鑑みてなされたもので、ヘッド内面に金属製の錘を溶接ビードを用いた溶接により固定するための台座を有するゴルフクラブヘッドであって、ヘッド内面に錘を安定に固定することができ、かつ、ヘッド重量をそれほど大きくすることなくヘッド内面に複数の台座を設けることができるとともに、溶接ビードの重量のバラツキを抑えてヘッド重量のバラツキを少なくすることができ、しかも細やかな重量設計ができるゴルフクラブヘッドを提供することを目的とする。
【課題を解決するための手段】
【００１２】
本発明は、前記目的を達成するため、両端に突部を有する少なくとも２本のリブからなる台座がヘッド内面に形成され、かつ、前記台座の少なくとも２本のリブ上に金属製の錘が配置されているとともに、前記リブ両端の突部間に前記錘の表面を通る溶接ビードが形成され、前記溶接ビードにより前記錘がヘッド内面に固定されていることを特徴とするゴルフクラブヘッドを提供する。
【００１３】
本発明では、ヘッド内面に少なくとも２本のリブからなる台座を形成し、上記リブ上に錘を配置するので、ヘッド内面に錘を安定に配置することができ、そのためヘッド内面に平面状の台座を形成することなく、ヘッド内面に錘を安定に固定することができる。また、本発明では、リブによって台座を形成するため、ヘッド内面に平面状の台座を形成する場合に較べて台座の重量が小さくなり、したがってヘッド重量をそれほど大きくすることなくヘッド内面に複数の台座を設けることができ、ヘッド設計の自由度が向上する。さらに、本発明では、リブの両端に設けられた突部の間に溶接ビードを形成するので、溶接ビードの形成箇所が予め規定されており、そのため溶接ビードの重量のバラツキを抑えてヘッド重量のバラツキを少なくすることができる。
【００１４】
以下、本発明につきさらに詳しく説明する。本発明では、リブの上端および錘の裏面を平らにすること、すなわちリブの上端を直線状または平面状にするとともに、錘の裏面を平面状にすることが好ましい。このようにすると、リブの上端と錘の裏面とが線接触または面接触するため、錘をヘッド内面にきわめて安定に固定することができる。
【００１５】
本発明において、台座の形成箇所に限定はなく、例えば、ソール部の内面、サイド部（トウ側サイド部、ヒール側サイド部あるいはバック側サイド部）の内面などにリブを形成することができる。また、本発明では、リブによって台座を形成するため、ソール部の内面とサイド部（同前）の内面との間にリブを設けることにより、台座をソール部の内面とサイド部（同前）の内面に跨って形成するなど、台座を異なる部位に跨って設けることが可能である。
【００１６】
また、台座を形成するリブの形状、本数、配置態様は適宜設定することができるが、平面視直線状の互いに平行な２本のリブを設ける態様を好適に採用することができ、これにより錘をヘッド内面にきわめて安定に固定することが可能となり、かつ、台座の重量を小さくすることができるとともに、リブ両端の突部に錘の横方向の位置決め機能を付与することができる。
【００１７】
本発明において、ゴルフクラブヘッドの各部分の材質や成形法に限定はないが、例えば、材質としてはチタン、チタン合金、ステンレス鋼、マルエイジング鋼、アルミニウム合金、アモルファス等を使用することができ、成形法としては鋳造法、鍛造法等を挙げることができる。ただし、台座を設ける部分は形状が複雑になるため、鋳造法で作製することが好ましい。また、ゴルフクラブヘッドの台座を設ける部分の肉厚（リブおよび突部の高さを含めない肉厚）は０．３〜１．２ｍｍ、特に０．５〜０．８ｍｍの薄肉とすることが適当である。本発明によれば、このような薄肉部分に変形を生じさせることなく錘を安定に固定することができる。
【００１８】
本発明において、金属製の錘の材質や形状に限定はないが、材質としては、ヘッド本体の材質とは異なる金属で、ヘッド本体の材質よりも比重の大きい金属（具体的には比重、７．８以上、より好ましくは比重１０以上の金属）、例えばタングステン、タングステン合金等からなるものを好適に使用することができる。錘の形状は、例えば四角平板状とすることができるが、これに限定されるものではない。本発明は、タングステン、タングステン合金等の比較的溶接しにくい材料からなる錘をビードを用いて固定する場合に特に有効に使用することができる。
【００１９】
本発明では、溶接棒などを用いてリブ両端の突部間に錘の表面を通る溶接ビードを形成し、この溶接ビードによってヘッド内面と錘とを固定する。この場合、上記溶接ビードを形成する金属としては、原則的には、ヘッド本体と同じ金属を用いることが好ましい。しかし、類似の金属材料であっても構わない。具体的には、ヘッド本体がチタン合金である場合に、純チタンの溶接棒を用いて、純チタンの溶接ビードを形成することもできる。純チタンは、チタン合金に比べコストが安く、扱いやすいので好ましい。
【００２０】
本発明において、ヘッド内面に複数の台座を設ける場合、台座の数は２〜４個とすることが適当である。そして、上記複数の台座の内の１個以上に適宜錘を固定することにより、１つの金型を用いて重心位置やヘッド重量を変動させたゴルフクラブヘッドを容易に作製することができる。
【発明の効果】
【００２１】
本発明の中空ゴルフクラブヘッドは、ヘッド内面に錘を安定に固定することができ、かつ、ヘッド重量をそれほど大きくすることなくヘッド内面に複数の台座を設けることができるとともに、溶接ビードの重量のバラツキを抑えてヘッド重量のバラツキを少なくすることができ、しかも細やかな重量設計ができるものである。
【発明を実施するための最良の形態】
【００２２】
以下、本発明の実施の形態を図面を参照して説明するが、本発明は下記例に限定されるものではない。図１は本発明に係るゴルフクラブヘッドの台座の一例を示す正面図、図２は同台座の平面図、図３は同台座上に錘を配置した状態を示す正面図、図４は同状態の平面図、図５は同台座上に錘を溶接により固定した状態を示す正面図、図６は同状態の平面図である。
【００２３】
本例の台座１０は、ヘッド本体１２の内面に形成された２本の平行な四角突板形の平面視直線状をなす同形のリブ１４、１４からなるものである。上記リブ１４、１４の両端には、それぞれ円柱形の突部１６、１６が形成されている。
【００２４】
本例の台座１０を用いてゴルフクラブヘッドの内面に金属製の錘を固定する手順は例えば下記の通りである。
（１）図３、図４に示すように、リブ１４、１４上の突部１６、１６間に四角平板状の錘１８を配置する。この場合、突部１６、１６によって錘１８の横方向の位置決めを行うことができる。
（２）図５、図６に示すように、溶接棒などを用いて突部１６、１６間に錘１８の表面を通る溶接ビード２０を形成し、この溶接ビード２０によりヘッド本体１２の内面に錘１８を固定する。
【００２５】
また、本発明のゴルフクラブヘッドは上記例に限定されるものではなく、種々変更することが可能である。例えば、図７に示すように、錘１８の縦方向の位置決めを行う一対の円柱状等の突部２２、２２をヘッド本体１２の内面に形成し、この突部２２、２２間に錘１８を配置するとともに、図８に示すように、突部２２、２２間に錘１８の表面を通る溶接ビード２４を形成してもよい。
【００２６】
また、図９、図１０に示すように、錘１８の表面に溶接ビードを通すための断面半円形、断面三角形などの溝２６を設けることができる。
【００２７】
さらに、図１１に示すように、ヘッド本体の内面に複数の台座を設けることができる。図１１のゴルフクラブヘッドは、ソール部の内面のトウ側に形成された台座１０ａ、ソール部の内面とバック側サイド部の内面に跨って形成された台座１０ｂ、およびソール部の内面とヒール側サイド部の内面に跨って形成された台座１０ｃを有する。各台座１０ａ、１０ｂ、１０ｃは、いずれも、ヘッド本体３０の内面に形成された２本の平行な四角突板形の平面視直線状をなす同形のリブ１４、１４であって、両端にそれぞれ円柱形の突部１６、１６が形成されたリブ１４、１４により構成されている。また、各台座１０ａ、１０ｂ、１０ｃには、それぞれ錘の縦方向の位置決めを行う一対の突部２２、２２が付設されている。図１２は、ソール部の内面とバック側サイド部の内面に跨って形成された台座１０ｂに溶接ビード２０により錘１８を固定した状態を示す。
【００２８】
本例のヘッド本体３０は、クラウン部に開口部３２を有し、開口部３２から溶接操作を行って台座１０ａ、１０ｂ、１０ｃのいずれか１つ以上に錘を固定した後、図１２に示すように、クラウン部材３４を開口部３２に固着して開口部３２を閉塞するものである。本発明は、このようにクラウン開口部を有するヘッド本体とそれを閉塞するクラウン部材とからなるゴルフクラブヘッドに特に有効に使用することができる。
【図面の簡単な説明】
【００２９】
【図１】本発明に係るゴルフクラブヘッドの台座の一例を示す正面図である。
【図２】同台座の平面図である。
【図３】同台座上に錘を配置した状態を示す正面図である。
【図４】同状態の平面図である。
【図５】同台座上に錘を溶接により固定した状態を示す正面図である。
【図６】同状態の平面図である。
【図７】錘の縦方向の位置決めを行う突部を付加した台座を示す平面図である。
【図８】同台座上に錘を溶接により固定した状態を示す正面図である。
【図９】表面に溶接ビードを通すための溝を設けた錘を示す平面図である。
【図１０】表面に溶接ビードを通すための溝を設けた錘を示す斜視図である。
【図１１】内面に複数の台座を設けたヘッド本体を示す平面図である。
【図１２】ソール部の内面とバック側サイド部の内面に跨って形成された台座に錘を固定した状態を示す断面図である。
【図１３】曲面をなしたソール部の内面に錘を溶接により固定した状態を示す断面図である。
【図１４】ソール部の内面に平面状の台座を形成した状態を示す断面図である。
【符号の説明】
【００３０】
１０  台座
１２  ヘッド本体
１４  リブ
１６  突部
１８  錘
２０  溶接ビード
【図１】
2007151759.tif 000003
【図２】
2007151759.tif 000004
【図３】
2007151759.tif 000005
【図４】
2007151759.tif 000006
【図５】
2007151759.tif 000007
【図６】
2007151759.tif 000008
【図７】
2007151759.tif 000009
【図８】
2007151759.tif 000010
【図９】
2007151759.tif 000011
【図１０】
2007151759.tif 000012
【図１１】
2007151759.tif 000013
【図１２】
2007151759.tif 000014
【図１３】
2007151759.tif 000015
【図１４】
2007151759.tif 000016